(57)【要約】【課題】通信識別情報に応じてアクセス可能なメモリの領域を容易に設定することができる情報通信装置を提供する。【解決手段】情報通信装置１は、複数の領域２１ａ、２１ｂ、２１ｃ、・・・、に分割され、複数の領域２１ａ、２１ｂ、２１ｃ、・・・、の少なくとも１つに各種情報を記録するメモリ１４と、一つ又は複数の端末１００〜１０３と通信する通信制御部１６と、端末１００〜１０３との通信におけるＳＳＩＤを制御し、ＳＳＩＤに応じて、メモリ１４の複数の領域２１ａ、２１ｂ、２１ｃ、・・・、の少なくとも１つに端末１００〜１０３がアクセスするように制御するメモリ制御部１７と、情報通信装置１を制御する制御部１８とを有する。【選択図】図１
2014191459.tif 000002
【特許請求の範囲】
【請求項１】
複数の領域に分割され、前記複数の領域の少なくとも１つに各種情報を記録する記録部と、
一つ又は複数の外部装置と通信する通信制御部と、
前記外部装置との通信における識別情報を制御し、前記識別情報に応じて、前記記録部の前記複数の領域の少なくとも１つに前記外部装置がアクセスするように制御する記録制御部と、
当該情報通信装置を制御する制御部と、
を有することを特徴とする情報通信装置。
【請求項２】
各種情報を入力する入力部を更に有し、
前記制御部は、前記入力部からの前記各種情報を、前記識別情報に応じた前記記録部の前記領域へ記録するように制御することを特徴とする請求項１に記載の情報通信装置。
【請求項３】
前記制御部は、前記識別情報に応じた前記記録部の前記領域に対して前記外部装置が読み出し及び書き込みができるように制御することを特徴とする請求項１または２に記載の情報通信装置。
【請求項４】
前記通信制御部は、前記複数の外部装置の内の少なくとも１つが前記通信制御部と通信している際、他の前記外部装置との通信を拒否する、
又は、前記複数の外部装置の内の少なくとも１つが前記通信制御部と通信している際、前記通信と同一の前記識別情報を用いた他の前記外部装置との通信を許可し、前記通信とは異なる前記識別情報を用いた他の前記外部装置との通信を拒否する、
又は、前記複数の外部装置の内の少なくとも１つが前記通信制御部と通信している際、前記通信と同一の前記識別情報を用いた他の前記外部装置との通信を拒否し、前記通信とは異なる前記識別情報を用いた他の前記外部装置との通信を許可する、
又は、前記複数の外部装置の内の少なくとも１つが前記通信制御部と通信している際、前記通信と同一又は異なる前記識別情報を用いた他の前記外部装置との通信を許可する、ように制御することを特徴とする請求項１から３のいずれか１つに記載の情報通信装置。
【請求項５】
前記制御部は、前記外部装置と前記通信制御部が通信している際、前記通信に用いる前記識別情報が同一の場合は前記記録部の同一の領域へ前記外部装置がアクセスし、前記通信に用いる前記識別情報が異なる場合は前記記録部の異なる領域へ前記外部装置がアクセスするように制御することを特徴とする請求項１から４のいずれか１つに記載の情報通信装置。
【請求項６】
前記識別情報に応じた前記記録部の前記領域へのアクセス状況を記録、削除、管理する通信記録管理部を更に有し、
前記制御部は、現在既に前記外部装置との通信に用いている前記識別情報とは異なる識別情報を用いて前記外部装置との通信を開始すると、該通信に基づく前記記録部の領域へのアクセス状況を前記通信記録管理部が記録し、前記識別情報を用いた前記外部装置との通信が全て絶たれると該通信に基づく前記記録部の領域へのアクセス状況を前記通信記録管理部が削除するように制御することを特徴とする請求項１から５のいずれか１つに記載の情報通信装置。
【請求項７】
前記制御部は、前記外部装置が前記複数の識別情報を用いて前記通信制御部が通信している際、前記複数の識別情報に応じた前記記録部の複数の前記領域へ、前記入力部からの前記情報を記録するように制御することを特徴とする請求項１から６のいずれか１つに記載の情報通信装置。
【請求項８】
前記制御部は、前記通信制御部が前記外部装置のいずれとも通信していないとき、前記入力部からの前記情報を前記記録部の所定の領域へ記録するように制御することを特徴とする請求項１から７のいずれか１つに記載の情報通信装置。
【請求項９】
前記記録部に記録されている前記複数の各種情報を、前記記録部の領域に係る情報及び／又は前記識別情報と共に表示する表示部を更に有し、
前記制御部は、前記表示部も制御することを特徴とする請求項１から８のいずれか１つに記載の情報通信装置。
【発明の詳細な説明】
【技術分野】
【０００１】
本発明は、情報通信装置に関する。
【背景技術】
【０００２】
従来、複数の通信端末と通信することができる情報通信装置が広く利用されている。このような情報通信装置は、所定の識別情報を用いて複数の通信端末と通信することで、通信している情報端末を識別する。
【０００３】
例えば、特開２００４−２１４９２号公報には、ＩＰｖ６を用いて通信する際、通信装置トがゲストの端末装置を認識するために、ＩＰｖ６アドレスの下位６４ビットにあるゲスト固有番号（例えばＭＡＣアドレス）を識別情報として用いている通信装置が開示されている。
【０００４】
また、特開平７−３３６３７０号公報には、ゲストの通信端末から送信された端末識別情報に基づいて、複数の通信端末をグループ化し、グループ化された複数の通信端末毎にそれぞれ独立した通信を行う通信装置が開示されている。
【０００５】
このような通信装置は、複数の通信端末と通信する際に、セキュリティの強化を図るために、メモリの領域を分割し、通信端末がアクセスすることができるメモリの領域を管理する必要がある。
【０００６】
メモリの領域を分割して管理する技術として、例えば、特開２０１０−２４４１０９号公報には、ハードディスクドライブを通常領域と隠し領域とに分割し、通常領域及び隠し領域にそれぞれ生成された通常領域用パーティション管理情報及び隠し領域用パーティション管理情報を１つの管理情報に見せかける擬似合成を行う情報処理装置が開示されている。
【０００７】
また、特開２００５−５６３０５号公報には、１つのメモリ領域内にセキュリティレベルの異なる複数の分割領域を有し、ユーザによる分割要求があった際、分割要求が更新条件を満たしていれば要求に従ってメモリ領域の分割を行う情報記憶装置が開示されている。
【先行技術文献】
【特許文献】
【０００８】
【特許文献１】特開２００４−２１４９２号公報
【特許文献２】特開平７−３３６３７０号公報
【特許文献３】特開２０１０−２４４１０９号公報
【特許文献４】特開２００５−５６３０５号公報
【発明の概要】
【発明が解決しようとする課題】
【０００９】
しかしながら、複数の通信端末と通信する技術と、メモリの領域を分割して管理する技術とを結び付ける先行技術は存在せず、また、上記特許文献１〜４にもこれらの技術を結び付ける記載や示唆はない。さらに、これらの技術を単に結び付けても、各々が独立に動作するだけで、有意な効果を生み出すことはない。仮に、これらの技術を結び付けて連動して動作するようにしても、複数の通信端末と通信する際に用いる識別情報と、メモリの領域を分割して管理する際の管理情報とを結びつける動機がない。
【００１０】
現在の一般的な利用者は、自身の通信端末をホスト（サーバー）として複数の他人の通信端末をゲスト（クライアント）とした複数同時通信を行っており、更に自身の通信端末内及び通信の情報セキュリティを強化することも当然となっている。しかし、これらを同時にこなす技術は未だなく、その開発が待たれている状況である。そのため、従来では、ユーザが通信識別情報毎にアクセス可能なメモリの領域を手動で設定し、複数の外部端末と通信する際のセキュリティの強化を図っていた。
【００１１】
そこで、本発明は、通信識別情報に応じてアクセス可能なメモリの領域を容易に設定することができる情報通信装置を提供することを目的とする。
【課題を解決するための手段】
【００１２】
本発明の一態様の情報通信装置は、複数の領域に分割され、前記複数の領域の少なくとも１つに各種情報を記録する記録部と、一つ又は複数の外部装置と通信する通信制御部と、前記外部装置との通信における識別情報を制御し、前記識別情報に応じて、前記記録部の前記複数の領域の少なくとも１つに前記外部装置がアクセスするように制御する記録制御部と、当該情報通信装置を制御する制御部とを有する。
【発明の効果】
【００１３】
本発明の情報通信装置によれば、通信識別情報に応じてアクセス可能なメモリの領域を容易に設定することができる。
【図面の簡単な説明】
【００１４】
【図１】第１の実施の形態に係る情報通信装置の全体構成を示す構成図である。
【図２】メモリの構成を説明するための図である。
【図３】情報通信装置１の動作を説明するためのフローチャートである。
【図４】ステップＳ３の待ち受け処理の流れの例を説明するためのフローチャートである。
【図５】ステップＳ１７のメモリアクセス先の設定処理の流れの例を示すフローチャートである。
【図６】ステップＳ２９の表示更新処理の流れの例を示すフローチャートである。
【図７】表示部１１に表示される画面表示の例を示す図である。
【図８】変形例に係る待ち受け処理の流れの例を説明するためのフローチャートである。
【図９】アクセス先を追加または削除する場合の、記録領域アクセス先一覧の管理方法例を示す図である。
【図１０】第２の実施の形態に係る待ち受け処理の流れの例を説明するためのフローチャートである。
【図１１】メモリアクセス先を追加する処理の流れの例を示すフローチャートである。
【図１２】メモリアクセス先を削除する処理の流れの例を示すフローチャートである。
【発明を実施するための形態】
【００１５】
以下、図面を参照して本発明の実施の形態を説明する。
【００１６】
（第１の実施の形態）
まず、図１及び図２を用いて、第１の実施の形態の情報通信装置の構成について説明する。図１は、第１の実施の形態に係る情報通信装置の全体構成を示す構成図であり、図２は、メモリの構成を説明するための図である。
【００１７】
図１に示すように、本実施の形態の情報通信装置１は、複数の外部装置と通信することができる、例えばデジタルカメラであり、本体２と、アンテナ３とを有して構成されている。情報通信装置１は、本体２の無線ＬＡＮを稼働した状態で、端末１００〜１０３からの接続を待ち受ける。
【００１８】
このように、本願第１の実施形態、及び後述する変形例、第２の実施形態では、情報通信装置１と端末１００〜１０３との通信に無線ＬＡＮを用いている。しかし、本願はこれに限るものではなく、有線ＬＡＮやＷＡＮ（Wide Area Network）、プライベートネットワーク（専用回線）を用いてもよい。
【００１９】
また、本願第１の実施形態、及び後述する変形例、第２の実施形態では、情報通信装置１と端末１００〜１０３との通信にインフラストラクチャモードを用いているが、本願はこれに限るものではなく、アドホックモードを用いてもよい。
【００２０】
複数の外部装置としての端末１００〜１０３は、情報通信装置１と通信を行うことができる端末であり、例えば、携帯電話端末、ノート型ＰＣ、タブレット端末等である。端末１００〜１０３は、それぞれアンテナ１００ａ〜１０３ａを有しており、アンテナ１００ａ〜１０３ａを介して情報通信装置１と通信を行う。
【００２１】
端末１００〜１０３は、情報通信装置１と通信を行う際に、それぞれ異なる通信識別情報（例えば、ＳＳＩＤ）を用いて接続し、通信を行う。例えば、端末１００は、ＳＳＩＤ＿１を用いて情報通信装置１と通信を行い、端末１０１は、ＳＳＩＤ＿２を用いて情報通信装置１と通信を行い、端末１０２は、ＳＳＩＤ＿２を用いて情報通信装置１と通信を行い、端末１０３は、ＳＳＩＤ＿３を用いて情報通信装置１と通信を行う。端末１００〜１０３は、それぞれＳＳＩＤ＿１〜ＳＳＩＤ＿３を用いて情報通信装置１と接続し、情報通信装置１の後述するメモリの所定の領域にアクセスし、データ（情報）の読み出し、及び、書き込みを行う。
【００２２】
本体２は、表示部１１と、操作部１２と、入力部１３と、メモリ１４と、中央処理装置（以下、ＣＰＵという）１５とを有して構成されている。ＣＰＵ１５は、通信制御部１６と、メモリ制御部１７と、制御部１８と、通信記録管理部１９とにより構成されている。
【００２３】
表示部１１は、メモリ１４に記録されている情報や入力部１３により入力される情報等の各種情報を表示する。
【００２４】
操作部１２は、本体２の操作をするための複数の操作ボタン等である。
【００２５】
入力部１３は、操作部１２が操作されることで得られる各種情報を入力する。入力部１３により入力された各種情報は、メモリ制御部１７の制御によりメモリ１４の所定の領域に記録される。このとき、メモリ制御部１７は、後述するように、複数の端末１００〜１０３との通信における通信識別情報に応じて、入力部１３から入力された情報をメモリ１４の所定の領域に記録する。
【００２６】
記録部としてのメモリ１４は、入力部１３から入力された各種情報や端末１００〜１０３から送信された各種情報を記録する。これらの各種情報は、後述するように、通信を行っている通信識別情報に応じてメモリ１４の所定の領域に記録される。
【００２７】
図２に示すように、メモリ１４は、複数の領域から構成されており、領域２１ａ、領域２１ｂ、領域２１ｃ、・・・、及び、その他領域２２に分割されている。
【００２８】
領域２１ａは、端末１００〜１０３の内、ＳＳＩＤ＿１を用いて通信を行う端末のみがアクセスすることができる領域である。同様に、領域２１ｂ及び領域２１ｃは、それぞれ、端末１００〜１０３の内、ＳＳＩＤ＿２及びＳＳＩＤ＿３を用いて通信を行う端末のみがアクセスすることができる領域である。一方、その他領域２２は、非公開の領域であり、情報通信装置１と通信する端末１００〜１０３がアクセスすることができない領域である。
【００２９】
通信制御部１６は、ＳＳＩＤを用いて端末１００〜１０３との通信制御を行う。通信制御部１６は、端末１００〜１０３からの各種情報の受信や端末１００〜１０３への各種情報の送信を行う。また、通信制御部１６は、複数の端末１００〜１０３の内の少なくとも１つが通信制御部１６と通信している際、他の複数の端末１００〜１０３の通信を拒否するように制御してもよいし、同一のＳＳＩＤを用いて他の複数の端末１００〜１０３と通信するように制御してもよいし、他のＳＳＩＤを用いて他の複数の端末１００〜１０３と通信するように制御してもよい。
【００３０】
記録制御部としてのメモリ制御部１７は、複数の端末１００〜１０３との通信における通信識別情報に応じて、メモリ１４の複数の領域２１ａ、２１ｂ、２１ｃ、・・・、の少なくとも１つをメモリアクセス先に設定し、メモリ１４の複数の領域２１ａ、２１ｂ、２１ｃ、・・・、の少なくとも１つにアクセスするように制御する。例えば、メモリ制御部１７は、端末１００が通信識別情報としてＳＳＩＤ＿１を用いて情報通信装置１と通信している場合、領域２１ａをメモリアクセス先に設定し、メモリ１４の領域２１ａにアクセスするように制御する。
【００３１】
すなわち、端末１００がＳＳＩＤ＿１を用いて情報通信装置１と通信している場合、領域２１ａがメモリアクセス先に設定される。そして、入力部１３からの記録要求があった場合、入力部１３から入力された情報は、メモリアクセス先に設定された領域２１ａに記録される。また、端末１００から情報の送受信要求があった場合、メモリアクセス先に設定された領域２１ａから情報が読み出される、あるいは、領域２１ａへ情報が書き込まれる。
【００３２】
制御部１８は、本体２全体の制御、すなわち、表示部１１、操作部１２、入力部１３、メモリ１４、通信制御部１６、メモリ制御部１７の制御を行う。制御部１８は、入力部１３からの情報を通信識別情報に応じたメモリ１４の領域２１ａ、２１ｂ、２１ｃ、・・・、へ記録するように制御する。また、制御部１８は、通信識別情報に応じたメモリ１４の領域２１ａ、２１ｂ、２１ｃ、・・・、に対して複数の端末１００〜１０３が情報の読み出し、または、情報の書き込みができるように制御する。
【００３３】
なお、メモリ制御部１７は、情報通信装置１が複数の端末１００〜１０３のいずれとも通信していない場合、その他領域２２をメモリアクセス先に設定する。そして、制御部１８は、通信制御部１６が複数の端末１００〜１０３のいずれとも通信していないとき、入力部１３からの情報をメモリ１４のその他領域２２へ記録するように制御する。
【００３４】
通信記録管理部１９は、通信識別情報に応じたメモリ１４の領域２１ａ、２１ｂ、２１ｃ、・・・、へのアクセスの状況を記録、削除、管理する。なお、通信記録管理部１９が行うアクセスの状況の記録、削除、管理については後述する。
【００３５】
次に、このように構成された情報通信装置１の動作について説明する。
【００３６】
図３は、情報通信装置１の動作を説明するためのフローチャートである。
【００３７】
まず、システム初期化処理が行われ（ステップＳ１）、メモリアクセス先がその他領域２２に設定される（ステップＳ２）。次に、待ち受け処理が実行される（ステップＳ３）。なお、この待ち受け処理については、後述する図４を用いて詳細に説明する。ステップＳ３の待ち受け処理が実行されると、本体２の電源スイッチの状態がＯＮかＯＦＦかが判定される（ステップＳ４）。
【００３８】
本体２の電源スイッチの状態がＯＮと判定された場合、ステップＳ３に戻り、待ち受け処理が実行される。一方、本体２の電源スイッチの状態がＯＦＦと判定された場合、本体２の無線ＬＡＮの状態が稼働中か停止中かが判定される（ステップＳ５）。本体２の無線ＬＡＮの状態が開始中と判定された場合、無線ＬＡＮの稼働を停止する（ステップＳ６）。最後に、システム終了処理が実行され（ステップＳ７）、処理を終了する。一方、本体２の無線ＬＡＮの状態が停止中と判定された場合、ステップＳ７に進み、システム終了処理が実行され、処理を終了する。
【００３９】
次に、ステップＳ３の待ち受け処理について説明する。図４は、ステップＳ３の待ち受け処理の流れの例を説明するためのフローチャートである。
【００４０】
まず、本体２の無線ＬＡＮの状態が稼働中か停止中かが判定される（ステップＳ１１）。本体２の無線ＬＡＮの状態が停止中と判定された場合、無線ＬＡＮ稼働開始の操作がされたか否かが判定される（ステップＳ１２）。一方、本体２の無線ＬＡＮの状態が稼働中と判定された場合、ステップＳ１９に進む。
【００４１】
ステップＳ１２において、無線ＬＡＮ稼働開始の操作がされてないと判定された場合、ＮＯとなり、ステップＳ２４に進む。一方、無線ＬＡＮ稼働開始の操作がされたと判定された場合、ＹＥＳとなり、無線ＬＡＮの稼働を開始する（ステップＳ１３）。
【００４２】
次に、端末１００〜１０３からの接続要求があるか否かが判定される（ステップＳ１４）。端末１００〜１０３からの接続要求がないと判定された場合、ＮＯとなり、ステップＳ２２に進む。一方、端末１００〜１０３からの接続要求があると判定された場合、ＹＥＳとなり、接続済みの端末１００〜１０３があるか否かが判定される（ステップＳ１５）。接続済みの端末１００〜１０３がないと判定された場合、ＮＯとなり、接続が許可される（ステップＳ１６）。そして、メモリアクセス先の設定処理が行われ（ステップＳ１７）、ステップＳ２４に進む。なお、ステップＳ１７のメモリアクセス先の設定処理は、後述する図５を用いて説明する。一方、接続済みの端末１００〜１０３があると判定された場合、ＹＥＳとなり、接続が拒否され（ステップＳ１８）、ステップＳ２４に進む。
【００４３】
また、ステップＳ１１において、本体２の無線ＬＡＮの状態が停止中でないと判定された場合、無線ＬＡＮ停止の操作がされたか否かが判定される（ステップＳ１９）。無線ＬＡＮ停止の操作がされていないと判定された場合、ＮＯとなり、ステップＳ１４に進み、上述した処理が実行される。一方、無線ＬＡＮ停止の操作がされたと判定された場合、ＹＥＳとなり、無線ＬＡＮが停止され（ステップＳ２０）、メモリアクセス先がその他領域２２に設定され（ステップＳ２１）、ステップＳ２４に進む。
【００４４】
また、ステップＳ１４において、端末１００〜１０３からの接続要求がないと判定された場合、接続済みの端末１００〜１０３の切断が発生したか否かが判定される（ステップＳ２２）。接続済みの端末１００〜１０３の切断が発生していないと判定された場合、ＮＯとなり、ステップＳ２４に進む。一方、接続済みの端末１００〜１０３の切断が発生したと判定された場合、ＹＥＳとなり、メモリアクセス先がその他領域２２に設定され（ステップＳ２３）、ステップＳ２４に進む。
【００４５】
次に、入力部１３からのデータの記録要求があるか否かが判定される（ステップＳ２４）。入力部１３からのデータの記録要求があると判定された場合、ＹＥＳとなり、記録要求があったデータが設定済みメモリ領域へライトされ（ステップＳ２５）、ステップＳ２６に進む。ここで、設定済みメモリ領域とは、ステップＳ１７で設定されるメモリ１４の領域２１ａ、２１ｂ、２１ｃ、・・・、あるいは、ステップＳ２またはＳ２１、Ｓ２３で設定されるその他領域２２のことである。
【００４６】
一方、入力部１３からのデータの記録要求がない場合、接続済みの端末１００〜１０３があるか否かが判定される（ステップＳ２６）。接続済みの端末１００〜１０３がないと判定された場合、ＮＯとなり、ステップＳ２９に進む。一方、接続済みの端末１００〜１０３があると判定された場合、ＹＥＳとなり、端末１００〜１０３からデータの送受信要求があるか否かが判定される（ステップＳ２７）。端末１００〜１０３からのデータの送受信要求がないと判定された場合、ＮＯとなり、ステップＳ２９に進む。一方、端末１００〜１０３からのデータの送受信要求があると判定された場合、設定済みメモリ領域へリード／ライトが行われる（ステップＳ２８）。
【００４７】
ステップＳ２６において、接続済みの端末１００〜１０３がないと判定された場合は表示更新処理が実行され（ステップＳ２９）、処理を終了する。また接続済みの端末１００〜１０３があると判定された場合は、ステップＳ２７において、端末１００〜１０３からデータの送受信要求がないと判定された場合は表示更新処理が実行され（ステップＳ２９）、処理を終了する。また端末１００〜１０３からデータの送受信要求があると判定された場合は、ステップＳ２８において、設定済みメモリ領域へリード／ライトが行われてから、表示更新処理が実行され（ステップＳ２９）、処理を終了する。なお、この表示更新処理は、後述する図６を用いて説明する。
【００４８】
次に、ステップＳ１７のメモリアクセス先の設定処理について説明する。図５は、ステップＳ１７のメモリアクセス先の設定処理の流れの例を示すフローチャートである。
【００４９】
まず、接続許可したＳＳＩＤは何かが判定される（ステップＳ３１）。次に、ステップＳ３１で判定された、接続許可したＳＳＩＤに応じてメモリアクセス先が設定される。具体的には、接続許可したＳＳＩＤがＳＳＩＤ＿１と判定された場合、メモリアクセス先が領域２１ａに設定され（ステップＳ３２）、処理を終了する。また、接続許可したＳＳＩＤがＳＳＩＤ＿２と判定された場合、メモリアクセス先が領域２１ｂに設定され（ステップＳ３３）、処理を終了する。また、接続許可したＳＳＩＤがＳＳＩＤ＿３と判定された場合、メモリアクセス先が領域２１ｃに設定され（ステップＳ３４）、処理を終了する。なお、図５の処理では、接続許可したＳＳＩＤがＳＳＩＤ＿１〜ＳＳＩＤ＿３の場合についてのみ説明したが、他のＳＳＩＤでも同様に、接続許可したＳＳＩＤに応じてメモリアクセス先が設定される。
【００５０】
次に、ステップＳ２９の表示更新処理について図６を用いて説明する。また、この表示更新処理で表示部１１に表示される画面表示の例を図７を用いて説明する。
【００５１】
図６は、ステップＳ２９の表示更新処理の流れの例を示すフローチャートであり、図７は、表示部１１に表示される画面表示の例を示す図である。
【００５２】
まず、本体２の無線ＬＡＮの状態が判定される（ステップＳ４１）。無線ＬＡＮの状態が稼働中と判定された場合、電波アイコンが点灯される（ステップＳ４２）。無線ＬＡＮの状態が稼働中でない場合、図７（ａ）に示すように、表示部１１には、ＳＳＩＤ＿１〜ＳＳＩＤ＿３の接続状態が表示された画面表示となっている。これに対し、無線ＬＡＮの状態が稼働中になると、図７（ｂ）に示すように、電波アイコン３０が点灯し、表示部１１の所定の位置に表示されることになる。
【００５３】
次に、ＳＳＩＤ＿１を用いて接続している端末があるか否かが判定される（ステップＳ４３）。ＳＳＩＤ＿１を用いて接続している端末がないと判定された場合、ＮＯとなり、ＳＳＩＤ＿１の状態表示が未接続となり（ステップＳ４４）、ステップＳ４６に進む。一方、ＳＳＩＤ＿１を用いて接続している端末があると判定された場合、ＹＥＳとなり、ＳＳＩＤ＿１の状態表示が１台接続中となり（ステップＳ４５）、ステップＳ４６に進む。ＳＳＩＤ＿１を用いて接続している端末がない場合、図７（ｂ）に示すように、ＳＳＩＤ＿１の状態表示は「未接続」となっているが、ＳＳＩＤ＿１を用いた端末が接続された場合、図７（ｃ）に示すように、ＳＳＩＤ＿１の状態表示は「１台接続中」に変更される。
【００５４】
次に、領域２１ａへのアクセスがあるか否かが判定される（ステップＳ４６）。領域２１ａへのアクセスがないと判定された場合、ＮＯとなり、領域２１ａへの送受信データが未表示となり（ステップＳ４７）、ステップＳ４９に進む。一方、領域２１ａへのアクセスがあると判定された場合、ＹＥＳとなり、領域２１ａへの送受信データが表示され（ステップＳ４８）、ステップＳ４９に進む。領域２１ａへの送受信データがある場合の表示画面を、図７（ｄ）及び図７（ｅ）に示している。図７（ｄ）に示すように、領域２１ａへの送受信データがある場合、表示部１１にＳＳＩＤ＿１の接続状態とともに送受信データ３１を表示する。このとき、送受信データ３１の書き込みまたは読み出しに応じた表示を行う。例えば、領域２１ａへの書き込みの場合、送受信データ３１に隣接して「Ｗ」を表示し、領域２１ａからの読み出しの場合、送受信データ３１に隣接して「Ｒ」を表示する。図７（ｄ）の例は、領域２１ａへの送受信データ３１の書き込みであり、送受信データ３１に隣接して「Ｗ」が表示されている。また、図７（ｅ）に示すように、表示部１１に送受信データ３１とファイル名とを表示するようにしてもよい。
【００５５】
このように、ステップＳ４３〜ステップＳ４８では、ＳＳＩＤ＿１の接続の有無と、領域２１ａへの送受信データの有無とが判定され、表示部１１の表示処理が行われる。ステップＳ４９以降では、ＳＳＩＤ＿２、ＳＳＩＤ＿３、・・・について、ステップＳ４３〜ステップＳ４８と同様の表示処理が行われ、表示更新処理を終了する。
【００５６】
一方、ステップＳ４１において、本体２の無線ＬＡＮの状態が停止中と判定された場合、電波アイコン３０を消灯し（ステップＳ５０）、全てのＳＳＩＤの状態表示を未接続にする（ステップＳ５１）。最後に、全送受信データを未表示にして（ステップＳ５２）、表示更新処理を終了する。すなわち、ステップＳ５０〜ステップＳ５２の表示処理により、図７（ａ）に示す画面表示となる。
【００５７】
以上のように、情報通信装置１は、通信している端末が用いているＳＳＩＤに応じて、アクセスするメモリ１４の領域２１ａ、２１ｂ、２１ｃ、・・・、を自動的に決定する。そして、情報通信装置１は、入力部１３からのデータの記録要求や通信している端末からのデータの送受信要求があった場合、ＳＳＩＤに応じて決定されたメモリ１４の領域２１ａ、２１ｂ、２１ｃ、・・・、にデータの書き込み、まはた、読み出しを行う。この結果、情報通信装置１は、通信識別情報に応じて、メモリのアクセスできる領域を事前に設定するという煩わしい操作が必要なくなる。
【００５８】
よって、本実施の形態の情報通信装置によれば、通信識別情報に応じてアクセス可能なメモリの領域を容易に設定することができる。
【００５９】
（変形例）
次に、第１の実施の形態の変形例について説明する。
【００６０】
第１の実施の形態では、接続することができる端末が端末１００〜１０３のうち１台の場合の情報通信装置１について説明したが、変形例では、接続する端末１００〜１０３が用いるＳＳＩＤが同じであれば、同じＳＳＩＤを用いて複数の端末を接続できる情報通信装置１について説明する。なお、変形例の情報通信装置１の構成は、第１の実施の形態の情報通信装置１と同様のため、詳細は省略し、第１の実施の形態と異なっている部分について、以下説明を行う。
【００６１】
通信制御部１６は、複数の端末１００〜１０３の内の少なくとも１つが通信制御部１６と通信している際、その通信と同一のＳＳＩＤを用いた他の複数の端末１００〜１０３との通信を許可し、その通信とは異なるＳＳＩＤを用いた他の複数の端末１００〜１０３との通信を拒否するように制御する。
【００６２】
制御部１８は、複数の端末１００〜１０３と通信制御部１６とが通信している際に、通信に用いるＳＳＩＤが同一の場合、メモリ１４の同一の領域２１ａ、２１ｂ、２１ｃ、・・・、へアクセスするように制御する。
【００６３】
具体的には、通信制御部１６は、端末１００がＳＳＩＤ＿１を用いて情報通信装置１と通信している際に、他の端末、例えば端末１０３が情報通信装置１に接続要求した場合、この端末１０３が用いるＳＳＩＤが、情報通信装置１と現在通信している端末１００のＳＳＩＤ＿１と同一であれば、通信を許可し、ＳＳＩＤ＿１以外であれば、通信を拒否する。
【００６４】
そして、端末１０３の通信が許可（すなわち、端末１０３が用いるＳＳＩＤがＳＳＩＤ＿１の場合）されると、制御部１８は、ＳＳＩＤ＿１を用いて通信する端末１００がアクセスすることができるメモリ１４の領域２１ａと同一の領域２１ａへ端末１０３がアクセスするように制御する。
【００６５】
次に、このように構成された変形例の情報通信装置１の動作について説明する。
【００６６】
変形例の情報通信装置１は、図４の待ち受け処理が第１の実施の形態の情報通信装置１の待ち受け処理と異なっている。以下に、変形例に係る待ち受け処理について図８を用いて説明する。
【００６７】
図８は、変形例に係る待ち受け処理の流れの例を説明するためのフローチャートである。なお、図８において、図４と同様の処理については、同一の符号を付して説明を省略する。
【００６８】
ステップＳ１４で端末からの接続要求があると判定された場合、異なるＳＳＩＤで接続済みの別の端末があるか否かが判定される（ステップＳ６１）。異なるＳＳＩＤで接続済みの別の端末がないと判定された場合、ＮＯとなり、ステップＳ１６において接続が許可される。一方、異なるＳＳＩＤで接続済みの別の端末があると判定された場合、ＹＥＳとなり、ステップＳ１８において接続が拒否される。
【００６９】
また、ステップＳ１４で端末からの接続要求がないと判定された場合、接続済みの全ての端末が切断したか否かが判定される（ステップＳ６２）。接続済みの全ての端末が切断されたと判定された場合、ＹＥＳとなり、ステップＳ２３においてメモリアクセス先がその他領域２２に設定される。一方、接続済みの全ての端末が切断されていないと判定された場合、ＮＯとなり、ステップＳ２４に進む。その他の処理は、図４と同様のため、説明を省略する。
【００７０】
以上のように、変形例の情報通信装置１は、新たに通信を要求した端末が用いるＳＳＩＤが既に通信している端末が用いているＳＳＩＤと同じ場合、既に設定されているメモリ１４の所定の領域にアクセスするようにした。この結果、情報通信装置１は、通信識別情報に応じて、メモリのアクセスできる領域を事前に設定するという煩わしい操作が必要なくなる。
【００７１】
よって、変形例の情報通信装置によれば、第１の実施の形態と同様に、通信識別情報に応じてアクセス可能なメモリの領域を容易に設定することができる。
【００７２】
（第２の実施の形態）
次に、第２の実施の形態について説明する。
【００７３】
第２の実施の形態では、異なるＳＳＩＤを用いて複数の端末と接続することができる情報通信装置１について説明する。なお、第２の実施の形態の情報通信装置１の構成は、第１の実施の形態の情報通信装置１と同様のため、詳細は省略し、第１の実施の形態と異なっている部分について、以下説明を行う。
【００７４】
通信制御部１６は、複数の端末１００〜１０３の内の少なくとも１つが通信制御部１６と通信している際、その通信と同一または異なるＳＳＩＤを用いた他の複数の端末１００〜１０３との通信を許可するように制御する。
【００７５】
制御部１８が、現在既に複数の端末１００〜１０３との通信に用いているＳＳＩＤとは異なるＳＳＩＤを用いて複数の端末１００〜１０３との通信を開始すると、通信記録管理部１９は、異なるＳＳＩＤに応じたメモリ１４の領域２１ａ、２１ｂ、２１ｃ、・・・、を記録領域アクセス先一覧に追加するように制御する。より具体的には、制御部１８が、現在既に複数の端末１００〜１０３との通信に用いているＳＳＩＤとは異なるＳＳＩＤを用いて複数の端末１００〜１０３との通信を開始すると、通信記録管理部１９は、その通信に基づくメモリ１４の領域２１ａ、２１ｂ、２１ｃ、・・・、へのアクセス状況を記録する。
【００７６】
一方、制御部１８が、ＳＳＩＤを用いた複数の端末１００〜１０３との通信が全て切断されると、通信記録管理部１９は、ＳＳＩＤに応じたメモリ１４の領域２１ａ、２１ｂ、２１ｃ、・・・、を記録領域アクセス先一覧から削除するように制御する。より具体的には、制御部１８が、ＳＳＩＤを用いた複数の端末１００〜１０３との通信が全て切断されると、通信記録管理部１９は、その通信に基づくメモリ１４の領域２１ａ、２１ｂ、２１ｃ、・・・、へのアクセス状況を削除する。
【００７７】
そして、制御部１８は、複数の端末１００〜１０３が複数のＳＳＩＤを用いて通信制御部１６と通信している際、複数のＳＳＩＤに応じたメモリ１４の複数の領域へ、入力部１３からの情報を記録するように制御する。
【００７８】
ここで、メモリ１４の領域を記録領域アクセス先一覧に追加または削除する処理について、図９を用いて説明する。
【００７９】
図９は、アクセス先を追加または削除する場合の、記録領域アクセス先一覧の管理方法例を示す図である。
【００８０】
図９（ａ）に示すように、情報通信装置１と通信を行っている端末がない場合、記録領域アクセス先一覧４０は、何もない状態（ｎｕｌｌ）となっている。ここで、ある端末がＳＳＩＤ＿１を用いて情報通信装置１と通信を開始すると、ＳＳＩＤ＿１を用いる端末がアクセスすることができる領域２１ａが通信記録管理部１９により記録領域アクセス先一覧４０に追加（記録）される。このような状態で、他の端末がＳＳＩＤ＿１とは異なるＳＳＩＤ、例えば、ＳＳＩＤ＿２を用いて情報通信装置１と通信を開始すると、ＳＳＩＤ＿２を用いる端末がアクセスすることができる領域２１ｂが通信記録管理部１９により記録領域アクセス先一覧４０に追加（記録）される。
【００８１】
一方、図９（ｂ）に示すように、ＳＳＩＤ＿１、ＳＳＩＤ＿２、ＳＳＩＤ＿３、・・・、を用いた端末が情報通信装置１と通信している場合、記録領域アクセス先一覧４０に領域２１ａ、２１ｂ、２１ｃ、・・・、が追加されている。この状態から、ＳＳＩＤ＿２を用いた全ての端末が情報通信装置１との通信を終了すると、記録領域アクセス先一覧４０からＳＳＩＤ＿２を用いる端末がアクセスすることができる領域２１ｂが通信記録管理部１９により削除される。さらに、この状態から、ＳＳＩＤ＿１を用いた全ての端末が情報通信装置１との通信を終了すると、記録領域アクセス先一覧４０からＳＳＩＤ＿１を用いる端末がアクセスすることができる領域２１ａが通信記録管理部１９により削除される。
【００８２】
例えば、図９（ａ）に示すように、記録領域アクセス先一覧４０に領域２１ａ及び２１ｂが追加された状態で、入力部１３からの記録要求があった場合、入力部１３から入力されたデータは、記録領域アクセス先一覧４０に追加されている領域２１ａ及び２１ｂの全てに記録される。一方、情報通信装置１と通信している端末から送受信要求があった場合、送受信データは、ＳＳＩＤに応じた記録領域アクセス先一覧４０の領域２１ａまたは２１ｂに書き込み、あるいは、読み出される。
【００８３】
次に、このように構成された第２の実施の形態の情報通信装置１の動作について説明する。
【００８４】
第２の実施の形態の情報通信装置１は、図４の待ち受け処理が第１の実施の形態の情報通信装置１の待ち受け処理と異なっている。以下に、第２の実施の形態に係る待ち受け処理について図１０を用いて説明する。
【００８５】
図１０は、第２の実施の形態に係る待ち受け処理の流れの例を説明するためのフローチャートである。なお、図１０において、図４と同様の処理については、同一の符号を付して説明を省略する。
【００８６】
まず、ステップＳ１３において、無線ＬＡＮの稼働が開始された、または、ステップＳ１９において、無線ＬＡＮ停止の操作がされていないと判定された場合、端末からの接続要求があるか否かが判定される（ステップＳ７１）。端末からの接続要求があると判定された場合、ＹＥＳとなり、接続が許可され（ステップＳ７２）。そして、メモリアクセス先を追加する処理が行われ（ステップＳ７３）、ステップＳ２４に進む。なお、ステップＳ７３のメモリアクセス先を追加する処理については、後述する図１１を用いて詳細に説明する。
【００８７】
一方、端末からの接続要求がないと判定された場合、ＮＯとなり、接続済みの端末の切断が発生したか否かが判定される（ステップＳ７４）。接続済みの端末の切断が発生していないと判定された場合、ＮＯとなり、ステップＳ２４に進む。一方、接続済みの端末の切断が発生したと判定された場合、ＹＥＳとなり、メモリアクセス先を削除する処理が実行され（ステップＳ７５）、ステップＳ２４に進む。なお、メモリアクセス先を削除する処理については、後述する図１２を用いて詳細に説明する。
【００８８】
ステップＳ２４において、入力部１３からのデータの記録要求があると判定されると、設定済みのメモリ１４の領域の全てに記録したか否かが判定される（ステップＳ７６）。設定済みのメモリの領域の全てに記録されたと判定された場合、ＹＥＳとなり、ステップＳ２６に進む。一方、設定済みのメモリの領域の全てに記録していないと判定された場合、ＮＯとなり、未記録のメモリの領域へライトされ（ステップＳ７７）、ステップＳ７６に戻る。その他の処理は、図４と同様である。
【００８９】
次に、ステップＳ７３のメモリアクセス先を追加する処理について、図１１を用いて説明する。図１１は、メモリアクセス先を追加する処理の流れの例を示すフローチャートである。
【００９０】
まず、接続が許可されたＳＳＩＤは何かが判定される（ステップＳ８１）。接続が許可されたＳＳＩＤがＳＳＩＤ＿１と判定された場合、ＳＳＩＤ＿１を用いた別の端末が既に接続しているか否かが判定される（ステップＳ８２）。ＳＳＩＤ＿１を用いた通信に既に別の端末が接続されていないと判定された場合、ＮＯとなり、記録領域アクセス先一覧４０に領域２１ａを追加し（ステップＳ８３）、処理を終了する。一方、ＳＳＩＤ＿１を用いた通信に既に別の端末が接続されていると判定された場合、ＹＥＳとなり、処理を終了する。
【００９１】
また、ステップＳ８１において、接続が許可されたＳＳＩＤがＳＳＩＤ＿２と判定された場合、ＳＳＩＤ＿２を用いた別の端末が既に接続しているか否かが判定される（ステップＳ８４）。ＳＳＩＤ＿２を用いた通信に既に別の端末が接続されていないと判定された場合、ＮＯとなり、記録領域アクセス先一覧４０に領域２１ｂを追加し（ステップＳ８５）、処理を終了する。一方、ＳＳＩＤ＿２を用いた通信に既に別の端末が接続されていると判定された場合、ＹＥＳとなり、処理を終了する。
【００９２】
また、ステップＳ８１において、接続が許可されたＳＳＩＤがＳＳＩＤ＿３と判定された場合、ＳＳＩＤ＿３を用いた別の端末が既に接続しているか否かが判定される（ステップＳ８６）。ＳＳＩＤ＿３を用いた通信に既に別の端末が接続されていないと判定された場合、ＮＯとなり、記録領域アクセス先一覧４０に領域２１ｃを追加し（ステップＳ８７）、処理を終了する。一方、ＳＳＩＤ＿３を用いた通信に既に別の端末が接続されていると判定された場合、ＹＥＳとなり、処理を終了する。なお、接続が許可されたＳＳＩＤがＳＳＩＤ＿１〜ＳＳＩＤ＿３以外の場合も同様の処理が行われる。
【００９３】
次に、ステップＳ７５のメモリアクセス先を削除する処理について、図１２を用いて説明する。図１２は、メモリアクセス先を削除する処理の流れの例を示すフローチャートである。
【００９４】
まず、通信を切断した端末が接続していたＳＳＩＤは何かが判定される（ステップＳ９１）。通信を切断した端末が接続していたＳＳＩＤがＳＳＩＤ＿１と判定された場合、ＳＳＩＤ＿１を用いて通信している別の端末があるか否かが判定される（ステップＳ９２）。ＳＳＩＤ＿１を用いて通信している別の端末があると判定された場合、ＹＥＳとなり、処理を終了する。一方、ＳＳＩＤ＿１を用いて通信している別の端末がないと判定された場合、ＮＯとなり、記録領域アクセス先一覧４０から領域２１ａを削除し（ステップＳ９３）、処理を終了する。
【００９５】
また、ステップＳ９１において、通信を切断した端末が接続していたＳＳＩＤがＳＳＩＤ＿２と判定された場合、ＳＳＩＤ＿２を用いて通信している別の端末があるか否かが判定される（ステップＳ９４）。ＳＳＩＤ＿２を用いて通信している別の端末があると判定された場合、ＹＥＳとなり、処理を終了する。一方、ＳＳＩＤ＿２を用いて通信している別の端末がないと判定された場合、ＮＯとなり、記録領域アクセス先一覧４０から領域２１ｂを削除し（ステップＳ９５）、処理を終了する。
【００９６】
また、ステップＳ９１において、通信を切断した端末が接続していたＳＳＩＤがＳＳＩＤ＿３と判定された場合、ＳＳＩＤ＿３を用いて通信している別の端末があるか否かが判定される（ステップＳ９６）。ＳＳＩＤ＿３を用いて通信している別の端末があると判定された場合、ＹＥＳとなり、処理を終了する。一方、ＳＳＩＤ＿３を用いて通信している別の端末がないと判定された場合、ＮＯとなり、記録領域アクセス先一覧４０から領域２１ｃを削除し（ステップＳ９７）、処理を終了する。なお、通信が切断されたＳＳＩＤがＳＳＩＤ＿１〜ＳＳＩＤ＿３以外の場合も同様の処理が行われる。
【００９７】
以上のように、第２の実施の形態の情報通信装置１は、新たに通信を要求した端末が用いるＳＳＩＤが既に通信している端末が用いているＳＳＩＤと異なる場合でも、記録領域アクセス先一覧４０に新たに通信を要求した端末が用いるＳＳＩＤに応じたメモリ１４の領域を追加し、追加した領域にアクセスするようにした。この結果、情報通信装置１は、通信識別情報に応じて、メモリのアクセスできる領域を事前に設定するという煩わしい操作が必要なくなる。
【００９８】
よって、第２の実施の形態の情報通信装置によれば、第１の実施の形態と同様に、通信識別情報に応じてアクセス可能なメモリの領域を容易に設定することができる。
【００９９】
なお、本明細書におけるフローチャート中の各ステップは、その性質に反しない限り、実行順序を変更し、複数同時に実行し、あるいは実行毎に異なった順序で実行してもよい。
【０１００】
本発明は、上述した実施の形態及び変形例に限定されるものではなく、本発明の要旨を変えない範囲において、種々の変更、改変等が可能である。
【符号の説明】
【０１０１】
１…情報通信装置、２…本体、３…アンテナ、１１…表示部、１２…操作部、１３…入力部、１４…メモリ、１５…ＣＰＵ、１６…通信制御部、１７…メモリ制御部、１８…制御部、１９…通信記録管理部、３０…電波アイコン、３１…送受信データ、４０…記録領域アクセス先一覧、１００〜１０３…端末、１００ａ〜１０３ａ…アンテナ。
【図１】
2014191459.tif 000003
【図２】
2014191459.tif 000004
【図３】
2014191459.tif 000005
【図４】
2014191459.tif 000006
【図５】
2014191459.tif 000007
【図６】
2014191459.tif 000008
【図７】
2014191459.tif 000009
【図８】
2014191459.tif 000010
【図９】
2014191459.tif 000011
【図１０】
2014191459.tif 000012
【図１１】
2014191459.tif 000013
【図１２】
2014191459.tif 000014